(57)【要約】【課題】空気調和機本体から送信される情報が失われるおそれを減らすことができる空気調和機の提供。【解決手段】空気調和機１００は、リモコン２０と、空気調和機本体１とを備えている。リモコン２０は、ユーザからの情報要求操作を受け付ける「設定確認」ボタン３４および「お知らせ」ボタン３７と、情報要求操作とは別の任意の操作を受け付ける「運転／停止」ボタン３１および「温度」ボタン３２とを有し、受け付けた操作情報を送信することができる。空気調和機本体１は、操作情報の受信と、リモコン２０に対する所定情報の送信とを行うことができる。また、空気調和機本体１は、操作情報を受信した場合に、所定情報の送信を行う。さらに、リモコン２０は、所定情報を受信可能であり、情報要求操作に基づく操作情報を送信したときに空気調和機本体１から送信される所定情報を受信できなかった場合にのみ、情報要求操作の再操作を促す報知を行う。【選択図】図１
2009264631.tif 000002
【特許請求の範囲】
【請求項１】
ユーザからの情報要求操作を受け付ける第１受付部（３４，３７）と、前記情報要求操作とは別の任意の操作を受け付ける第２受付部（３１，３２，３３，３６，３８）とを有し、前記第１受付部および前記第２受付部において受け付けた操作情報を送信することが可能なリモコン（２０）と、
前記操作情報の受信と、前記リモコンに対する所定情報の送信とを行うことが可能な空気調和機本体（１）と、を備え、
前記空気調和機本体は、前記操作情報を受信した場合に、前記所定情報の送信を行い、
前記リモコンは、前記所定情報を受信可能であり、前記情報要求操作に基づく前記操作情報を送信したときに前記空気調和機本体から送信される前記所定情報を受信できなかった場合にのみ、前記情報要求操作の再操作を促す報知を行う、
空気調和機（１００）。
【請求項２】
前記リモコンは、前記空気調和機本体から送信される前記所定情報を記憶する記憶部（７３）を更に有する、
請求項１に記載の空気調和機。
【請求項３】
前記リモコンは、
前記所定情報に基づく内容を表示することが可能な表示部（２３）と、
前記操作情報のうちの所定の操作情報の送信が行われた場合に、前記記憶部に記憶されている前記所定情報の内容が前記表示部に表示されるように前記表示部の表示動作を制御することが可能な表示制御部（７２）と、
を更に有する、請求項２に記載の空気調和機。
【請求項４】
前記所定情報には、前記空気調和機本体の内側に収容される内部機器に必要なメンテナンスについての情報であるメンテナンス情報が含まれる、
請求項１から３のいずれかに記載の空気調和機。
【請求項５】
前記リモコンは、前記操作情報の送信時から所定時間が経過するまで、前記所定情報を受信可能である、
請求項１から４のいずれかに記載の空気調和機。
【請求項６】
前記空気調和機本体は、前記所定情報において必要な情報であるか否かを判断する判断部（１６４）を有し、
前記判断部において必要な情報でないと判断された場合に送信される前記所定情報の情報量は、前記判断部において必要な情報であると判断された場合に送信される前記所定情報の情報量よりも小さい、
請求項１から５のいずれかに記載の空気調和機。
【発明の詳細な説明】
【技術分野】
【０００１】
本発明は、空気調和機本体とリモコンとの間で双方向通信が可能な空気調和機に関する。
【背景技術】
【０００２】
近年では、リモコンと空気調和機本体との間で双方向通信することによって、空気調和機本体から送信される室内温度や室内湿度等の情報をリモコン側で受信し、この受信した情報をリモコン上に表示する機能を有する空気調和機がある。例えば、内部部品等の自己診断を行う機能を有する空気調和機本体と、空気調和機本体の自己診断結果情報の送信を要求する送信要求手段を有するリモコンとを備える空気調和機がある（特許文献１参照）。この空気調和機では、リモコンの送信要求手段によって、空気調和機本体に対して自己診断結果情報のリモコンへの送信を要求することができる。したがって、リモコン側から空気調和機本体側に情報送信の要求を行うことができる。
【０００３】
また、リモコン側から空気調和機本体側に情報の送信要求をした場合、リモコンが、空気調和機本体から送信される情報の受信を失敗するおそれがある。このため、空気調和機本体から送信される情報のうちのリモコンが受信に失敗した情報は、失われてしまうおそれがある。そこで、リモコンが空気調和機本体から送信される情報の受信に失敗したことを、ユーザに対して報知できるようにすることが考えられる。しかしながら、受信失敗の報知が為された場合でも、リモコン側から情報の送信要求が再び行われない場合には、リモコンが受信に失敗した情報は失われてしまうおそれがある。
【特許文献１】特開２００５−２３３５３８号公報
【発明の開示】
【発明が解決しようとする課題】
【０００４】
そこで、本発明の課題は、空気調和機本体から送信される情報が失われるおそれを減らすことができる空気調和機を提供することにある。
【課題を解決するための手段】
【０００５】
第１発明に係る空気調和機は、リモコンと、空気調和機本体とを備えている。リモコンは、第１受付部と、第２受付部とを有し、第１受付部および第２受付部において受け付けた操作情報を送信することが可能である。また、第１受付部は、ユーザからの情報要求操作を受け付ける。第２受付部は、情報要求操作とは別の任意の操作を受け付ける。空気調和機本体は、操作情報の受信と、リモコンに対する所定情報の送信とを行うことが可能である。また、空気調和機本体は、操作情報を受信した場合に、所定情報の送信を行う。さらに、リモコンは、所定情報を受信可能である。また、リモコンは、情報要求操作に基づく操作情報を送信したときに空気調和機本体から送信される所定情報を受信できなかった場合にのみ、情報要求操作の再操作を促す報知を行う。
【０００６】
第１発明に係る空気調和機では、空気調和機本体は、リモコンから送信される操作情報を受信した場合に、リモコンに対して所定情報を送信している。このため、例えば、リモコンから情報要求操作に基づく操作情報が送信された場合にのみ空気調和機本体から所定情報が送信される場合と比較して、空気調和機本体からリモコンに対する所定情報の送信回数を多くすることができる。
【０００７】
これによって、空気調和機本体から送信される情報が失われるおそれを減らすことができる。
【０００８】
第２発明に係る空気調和機は、第１発明の空気調和機であって、リモコンは、記憶部を更に有する。記憶部は、空気調和機本体から送信される所定情報を記憶する。このため、空気調和機本体から送信される所定情報を失うおそれを減らすことができる。
【０００９】
第３発明に係る空気調和機は、第２発明の空気調和機であって、リモコンは、表示部と、表示制御部とを更に有している。表示部は、所定情報に基づく内容を表示することが可能である。また、表示制御部は、操作情報のうちの所定の操作情報の送信が行われた場合に記憶部に記憶されている所定情報の内容が表示部に表示されるように、表示部の表示動作を制御することができる。このため、記憶部に記憶されている所定情報は、リモコンがユーザからの所定の操作を受け付けた場合に表示部に表示される。
【００１０】
これによって、所定情報をユーザに認識させやすくすることができる。
【００１１】
第４発明に係る空気調和機は、第１発明から第３発明のいずれかの空気調和機であって、所定情報には、メンテナンス情報が含まれる。メンテナンス情報とは、空気調和機本体の内側に収容される内部機器に必要なメンテナンスについての情報である。このため、ユーザは、メンテナンス情報を取得することができる。
【００１２】
第５発明に係る空気調和機は、第１発明から第４発明のいずれかの空気調和機であって、リモコンは、操作情報の送信時から所定時間が経過するまで、所定情報を受信可能である。このため、例えば、所定情報を常に受信可能であるリモコンと比較して、所定情報を受信するために消費される電力を減らすことができる。
【００１３】
第６発明に係る空気調和機は、第１発明から第５発明のいずれかの空気調和機であって、空気調和機本体は、判断部を有する。判断部は、所定情報において必要な情報であるか否かを判断する。また、判断部において必要でないと判断された場合に送信される所定情報の情報量は、判断部において必要な情報であると判断された場合に送信される所定情報の情報量よりも小さい。このため、例えば、受信した情報を処理する受信処理等を行っている間はユーザからの操作を受け付けることができないようなリモコンでも、判断部の判断に基づいて情報量の小さい所定情報が送信された場合には、リモコンの受信処理等に必要な時間を短縮することができる。
【００１４】
これによって、リモコンの操作性の悪化を短時間に抑えることができる。
【発明の効果】
【００１５】
第１発明に係る空気調和機は、空気調和機本体から送信される情報が失われるおそれを減らすことができる。
【００１６】
第２発明に係る空気調和機は、空気調和機本体から送信される所定情報を失うおそれを減らすことができる。
【００１７】
第３発明に係る空気調和機は、所定情報をユーザに認識させやすくすることができる。
【００１８】
第４発明に係る空気調和機は、ユーザがメンテナンス情報を取得することができる。
【００１９】
第５発明に係る空気調和機は、所定情報を受信するために消費される電力を減らすことができる。
【００２０】
第６発明に係る空気調和機は、リモコンの操作性の悪化を短時間に抑えることができる。
【発明を実施するための最良の形態】
【００２１】
＜空気調和機の構成概略＞
本発明の一実施形態に係る空気調和機１００の概略構成を図１に示す。この空気調和機１００は、空気調和機本体１と、リモコン２０とを備えており、暖房運転および冷房運転等の通常運転の他に、加湿運転、除湿運転、フィルタ清掃運転および内部乾燥運転等を行うことが可能である。
【００２２】
＜空気調和機本体＞
空気調和機本体１は、室内の壁面等に取り付けられる室内機２と、室外に配置される室外機３とを備えている。室外機３は、室外熱交換器１０や室外ファン１１等を収容する室外空調ユニット８と、加湿空気を室内機２に搬送する加湿ユニット９とを有している。
【００２３】
室外空調ユニット８内には、圧縮機４、室外熱交換器１０、膨張弁６、四路切換弁５が冷媒配管によって接続されて構成される室外冷媒回路が収容されている。また、室内機２内には、室内熱交換器７が冷媒配管によって接続されて構成される室内冷媒回路が収容されている。また、室内機２と室外空調ユニット８との間には連絡配管が配設されており、室外冷媒回路と室内冷媒回路とはこの冷媒配管によって接続されている。
【００２４】
加湿ユニット９は、空気中の水分を吸着し、加熱されることによって吸着した水分を離脱する性質を有する多孔質のゼオライト等を円盤形状にした加湿ロータと、この加湿ロータを回転駆動するロータ駆動モータと、外気を導入して加湿ロータに水分を吸着させるための空気流を生成する吸着ファン１７と、加湿ロータに吸着した水分を離脱させるためのヒータと、加湿ロータから離脱した水分を含む加湿空気を室内機２側に搬送する空気流を生成する加湿ファン１８とを備えている。なお、加湿ユニット９と室内機２との間には、加湿ユニット９からの加湿空気を室内機２に搬送するための加湿空気用配管２２が設けられている。
【００２５】
また、室内機２は室内機ケーシング３０を有しており、室内機ケーシング３０には、上述の室内熱交換器７の他に、図２に示すように、室内ファン１２、フィルタ１３およびフィルタ清掃機構１４が収容されている。室内ファン１２は、室内の空気を吸い込んで室内熱交換器７に通し熱交換が行われた後の空気を室内に排出するために設けられているクロスフローファンである。フィルタ１３は、室内熱交換器７に向かって流入してくる空気に含まれる塵埃を除去するために、室内熱交換器７の前面側（空気流の上流側）のほぼ全域を覆うように配置されている。フィルタ清掃機構１４は、フィルタ１３に付着した塵埃を清掃するための機構であって、清掃装置１６とダストボックス１５とを有している。清掃装置１６によってフィルタ１３から取り除かれた塵埃は、ダストボックス１５に溜められる。また、ダストボックス１５は、室内機ケーシング３０から着脱可能に取り付けられている。このため、室内機ケーシング３０からダストボックス１５を取り外して、ダストボックス１５の内側に溜まった塵埃を室内機ケーシング３０の外側に捨てることができる。
【００２６】
また、空気調和機本体１は、制御装置６０を備えている。制御装置６０は、図３に示すように、本体側送受信部６１を有している。本体側送受信部６１は、リモコン２０側から送信される制御信号（操作情報に相当）等を受信することができる。
【００２７】
また、制御装置６０は、本体側送受信部６１において受信した制御信号に基づいて、空気調和機本体１の有する室内熱交換器７、室内ファン１２、フィルタ清掃機構１４、四路切換弁５、膨張弁６、室外熱交換器１０、圧縮機４等の各種機器を制御することで、冷房運転、暖房運転、除湿運転、加湿運転、フィルタ清掃運転および内部乾燥運転等の各種運転を行うことができる。例えば、本体側送受信部６１においてリモコン側からフィルタ清掃運転を開始する旨の制御信号を受信した場合、制御装置６０は、清掃装置１６等を稼働させてフィルタ清掃運転を行う。フィルタ清掃運転が行われることによって、室内機ケーシング３０の内側に収容されているフィルタ１３から塵埃を取り除くことができる。また、本体側送受信部６１においてリモコン側から内部乾燥運転を開始する旨の制御信号を受信した場合、制御装置６０は、室内ファン１２や室内熱交換器７等を稼働させて内部乾燥運転を行う。内部乾燥運転が行われることによって、室内機ケーシング３０の内側に収容されている室内熱交換器７等を乾燥させることができる。
【００２８】
さらに、制御装置６０は、本体側送受信部６１において制御信号を受信した場合、リモコン２０に対して取得情報（所定情報に相当）の情報信号を本体側送受信部６１から送信する。なお、ここでいう取得情報とは、室内温度、室内湿度、外気温度、設定温度、設定湿度、消費電力、運転モード（例えば、冷房運転中、暖房運転中、内部乾燥中およびフィルタ清掃中等）、フィルタ清掃、ダストボックス清掃等の情報である。また、フィルタ清掃の情報とはフィルタ１３清掃が必要であるか否かの情報であり、内部乾燥中の情報とは内部乾燥運転を現在行っているか否かの情報であり、ダストボックス清掃の情報とはダストボックス１５の清掃が必要であるか否かの情報であり、フィルタ清掃中の情報とはフィルタ清掃運転を現在行っているか否かの情報である。また、制御装置６０は、室内温度センサや室内湿度センサ等の各種センサと接続されており、各種センサによって検出されるそれぞれの情報を取得し、取得したそれぞれの情報を取得情報として本体側記憶部６３に記憶することができる。なお、取得情報は、所定時間毎に更新される。
【００２９】
制御装置６０は、リモコン２０から送信される制御信号を本体側送受信部６１において受信する毎に、リモコン２０に対して取得情報のうちの所定の情報の情報信号を本体側送受信部６１から送信する。
【００３０】
＜リモコン＞
リモコン２０は、空気調和機本体１を遠隔操作するための装置であり、図４および図５に示すように、リモコンケーシング２１と、操作ボタンと、表示部２３と、リモコン側制御部７０（図３参照）とを備えている。
【００３１】
リモコンケーシング２１は、図４に示すように、略直方体形状を呈しており、内側にリモコン側制御部７０等を収容する。また、リモコンケーシング２１は、図５に示すように、パネル２１ｂを有している。パネル２１ｂは、リモコンケーシング２１の前面２１ａを覆うように開閉可能に取り付けられている。具体的には、パネル２１ｂは、閉じている状態ではリモコンケーシング２１の前面２１ａを覆い、開いている状態ではリモコンケーシング２１の前面２１ａを外部に露出させる。
【００３２】
操作ボタンは、リモコンケーシング２１の前面２１ａおよびパネル２１ｂに設けられている。パネル２１ｂには、図４に示すように、「運転／停止」ボタン３１、「温度」ボタン３２、「湿度」ボタン３３および「設定確認」ボタン３４等の操作ボタンが設けられている。「運転／停止」ボタン３１は、ユーザからの空気調和機本体１の運転の開始や運転の停止の指示を受け付ける。「温度」ボタン３２および「湿度」ボタン３３は、ユーザからの調和空気における設定温度や設定湿度などの指示を受け付ける。「設定確認」ボタン３４は、ユーザからの空気調和機本体１に対する情報送信要求の指示を受け付ける。なお、「設定確認」ボタン３４がユーザに押されることによって空気調和機本体１に対して送信要求される情報は、空気調和機本体１の運転モードやメンテナンス情報等の情報である。また、ここでいうメンテナンス情報とは、例えば、フィルタ清掃やダストボックス清掃等の情報である。
【００３３】
さらに、リモコンケーシング２１の前面２１ａには、図５に示すように、「メニュー」ボタン３６、「決定」ボタン３８および「お知らせ」ボタン３７等の操作ボタンが設けられている。「メニュー」ボタン３６および「決定」ボタン３８は、ユーザが運転モードまたは機能設定を変更するときに操作するボタンである。「お知らせ」ボタン３７は、ユーザからの空気調和機本体１に対する情報送信要求の指示を受け付ける。なお、「お知らせ」ボタン３７がユーザに押されることによって空気調和機本体１に対して送信要求される情報は、室内温度、室内湿度、屋外温度および消費電力等の情報である。
【００３４】
表示部２３は、液晶表示装置によって構成されており、空気調和機本体１から送信された取得情報の内容やメッセージ等を表示することができる。また、表示部２３における空調対象者に対するメッセージ等の表示は、後述する表示制御部７２によって表示動作が制御される。
【００３５】
リモコン側制御部７０は、リモコン側送受信部７１と、リモコン側記憶部７３と、表示制御部７２とを有している。
【００３６】
リモコン側送受信部７１は、本体側送受信部６１に対して運転指示等の制御信号を送信することができる。具体的には、リモコン側制御部７０は「お知らせ」ボタン３７や「温度」ボタン３２等の操作ボタンと接続されており、ユーザによって操作ボタンが押されることで、リモコン側送受信部７１から本体側送受信部６１に情報送信要求信号や操作信号等の制御信号が送信される。なお、ここでいう情報送信要求信号とは、「設定確認」ボタン３４、または、「お知らせ」ボタン３７がユーザに押されることによってリモコン側送受信部７１から本体側送受信部６１に送信される制御信号のことである。また、ここでいう操作信号とは、「設定確認」ボタン３４、または、「お知らせ」ボタン３７以外の操作ボタン（例えば、「温度」ボタン３２等）がユーザに押されることによってリモコン側送受信部７１から本体側送受信部６１に送信される制御信号のことである。
【００３７】
また、リモコン側送受信部７１は、本体側送受信部６１から送信される取得情報の情報信号を受信することができる。なお、リモコン側送受信部７１では、制御信号を送信した時から所定時間（例えば、５秒）が経過するまで、本体側送受信部６１から送信される情報信号を受信できる状態である信号受信可能状態が継続される。また、リモコン側記憶部７３には、リモコン側送受信部７１が受信した情報信号が記憶される。さらに、リモコン側記憶部７３に記憶される情報信号は、新しい情報信号が送信される毎に更新される。例えば、室内温度の情報信号がリモコン側記憶部７３に記憶されている状態で新たに本体側送受信部６１から室内温度の情報信号が送信された場合、リモコン側記憶部７３では、記憶している室内温度の情報信号から新たに送信された室内温度の情報信号に記憶内容が更新される。
【００３８】
さらに、本体側送受信部６１から送信される取得情報の種類は、ユーザによって押される操作ボタンに基づいて決定されている。具体的には、ユーザによって運転モードやメンテナンス情報等の情報の取得を目的として操作されるボタンである「設定確認」ボタン３４が押された場合には、本体側送受信部６１からは取得情報のうちの運転モード情報やメンテナンス情報に相当するフィルタ清掃、内部乾燥中、ダストボックス清掃、フィルタ清掃中等の情報が送信される。また、ユーザによって室内環境等の取得を目的として操作されるボタンである「お知らせ」ボタン３７が押された場合には、本体側送受信部６１からは取得情報のうちのメンテナンス情報以外の情報に相当する室内温度、室内湿度、屋外温度および消費電力等の情報が送信される。さらに、ユーザによって「温度」ボタン３２等の情報の取得を目的としていない操作ボタンが押された場合には、本体側送受信部６１からは取得情報に含まれる全ての情報が送信される。なお、本実施形態では、ユーザによって押される操作ボタンによって本体側送受信部６１から送信される取得情報が限定されているが、これに限定されず、例えば、リモコン側送受信部から本体側送受信部に送信される情報送信要求信号および操作信号等の全ての制御信号に対して、本体側送受信部から取得情報に含まれる全ての情報の情報信号が送信されてもよい。
【００３９】
判断部７４は、リモコン側送受信部７１から制御信号が送信された場合に、送信された制御信号が、操作ボタンのうちの「設定確認」ボタン３４、または、「お知らせ」ボタン３７が押されることによって送信される情報送信要求信号であったか否か判断する。また、判断部７４は、リモコン側送受信部７１から制御信号が送信された場合、その制御信号の送信に基づくリモコン側送受信部７１の信号受信可能状態である間に、リモコン側送受信部７１において情報信号が受信されたか否かを判断する。さらに、判断部７４は、リモコン側送受信部７１から所定の制御信号が送信されたか否かを判断する。
【００４０】
また、表示制御部７２は、判断部７４の判断に基づいて、表示部２３に表示されるメッセージ等の表示動作を制御する。具体的には、判断部７４によって、リモコン側送受信部７１から情報送信要求信号が送信されたと判断され、かつ、前記情報送信要求信号に基づいた信号受信可能状態である間にリモコン側送受信部７１に情報信号が受信されたと判断された場合、表示制御部７２は、表示部２３に情報送信要求信号に基づいた情報内容を表示する。また、判断部７４によって、リモコン側送受信部７１から情報送信要求信号が送信されたと判断され、かつ、前記情報送信要求信号に基づいた信号受信可能状態である間にリモコン側送受信部７１に情報信号が受信されていないと判断された場合、表示制御部７２は、表示部２３に「受信失敗」というメッセージが表示されるように表示部２３の表示動作を制御する。また、表示制御部７２は、表示部２３に「受信失敗」というメッセージが表示された時から数秒後に「もう一度」というメッセージが表示部２３に表示されるように、表示部２３の表示動作を制御する。なお、表示部２３に表示されるメッセージは、リモコン側記憶部７３に記憶されている。
【００４１】
また、表示制御部７２は、判断部７４が所定の制御信号（ここでは空気調和機本体１の運転停止の制御信号）が送信されたと判断した場合に、リモコン側記憶部７３に記憶されている情報信号の情報内容が表示部２３に表示されるように、表示部２３の表示動作を制御する。なお、所定の制御信号は、本実施形態においては空気調和機本体１の運転停止の制御信号であるが、これに限定されず、他の制御信号であってもよい。さらに、表示部２３に表示される内容やメッセージは、空気調和機本体１の運転時と停止時とによって、異なっていてもよい。
【００４２】
＜リモコン側制御部の動作＞
次に、図６を用いて、空気調和機本体１の運転時におけるリモコン側制御部７０の動作について説明する。なお、ここでは、空気調和機本体１の運転時（例えば、空気調和機本体１において冷房運転が行われている）場合を例として説明する。
【００４３】
ユーザによってリモコン２０の有する操作ボタンが押されると、リモコン側制御部７０は、リモコン側送受信部７１から本体側送受信部６１に、操作ボタンに基づく制御信号を送信する（ステップＳ１）。このとき、リモコン側制御部７０では、判断部７４によって、ステップＳ１において送信した制御信号が、情報送信要求信号であったか否かが判断される（ステップＳ２）。
【００４４】
リモコン側送受信部７１から本体側送受信部６１に制御信号が送信されると、制御装置６０において、送信された制御信号に基づいて内部機器が制御されるとともに、本体側送受信部６１からリモコン側送受信部７１に取得情報の情報信号が送信される。
【００４５】
また、リモコン側送受信部７１では、前記制御信号を送信した時から所定時間が経過するまで、本体側送受信部６１から送信される取得情報の情報信号の信号受信可能状態が継続されている。リモコン側送受信部７１において制御信号を送信してから所定時間が経過すると、リモコン側制御部７０の有する判断部７４において、リモコン側送受信部７１が受信可能状態である間に、リモコン側送受信部７１において取得情報の情報信号が受信されたか否かが判断される（ステップＳ３）。このとき、判断部７４において、送信した制御信号が情報送信要求信号であると判断され、かつ、リモコン側送受信部７１に取得情報の情報信号が受信されたと判断された場合、リモコン側制御部７０の有する表示制御部７２によって、表示部２３に情報送信要求信号に基づいた情報内容が表示されるように、表示部２３の表示動作が制御される（ステップＳ４）。また、判断部７４において、送信した制御信号が情報送信要求信号ではないと判断され、かつ、リモコン側送受信部７１に取得情報の情報信号が受信されたと判断された場合、リモコン側制御部７０の有するリモコン側記憶部７３に、受信した情報信号が記憶される（ステップＳ５）。この場合、空気調和機１の運転停止の制御信号がリモコン側送受信部７１から送信されるまで、本体側送受信部６１から送信される取得情報の情報信号がリモコン側記憶部７３に記憶される。そして、判断部７４においてリモコン側送受信部７１から空気調和機１の運転停止の制御信号が送信されたと判断された場合、表示制御部７２によって表示部２３の表示動作が制御され、表示部２３に、リモコン側記憶部７３に記憶されている情報信号の情報内容が表示される（ステップＳ４およびステップＳ６）。
【００４６】
また、判断部７４において、送信した制御信号が情報送信要求信号であると判断され、かつ、リモコン側送受信部７１において情報信号が受信されなかったと判断された場合、表示制御部７２によって表示部２３の表示動作が制御されることで、表示部２３に「受信失敗」および「もう一度」等の報知メッセージが表示される（ステップＳ７）。なお、判断部７４によって、送信した制御信号が情報送信要求信号ではないと判断され、かつ、リモコン側送受信部７１において情報信号が受信されなかったと判断された場合には、表示制御部７２による表示部２３の表示動作の制御は行われないため、報知メッセージの表示は行われない。
【００４７】
＜特徴＞
（１）
近年では、リモコンと空気調和機本体との間で双方向通信することによって、空気調和機本体から送信される室内温度や室内湿度等の情報をリモコン側で受信し、この受信した情報をリモコン上に表示する機能を有する空気調和機がある。例えば、特開２００５−２３３５３８号公報に開示されている空気調和機では、内部部品等の自己診断を行う機能を有する空気調和機本体と、空気調和機本体の自己診断結果情報の送信を要求する送信要求手段を有するリモコンとを備えている。この空気調和機では、リモコンの送信要求手段によって、自己診断結果情報のリモコンへの送信を空気調和機本体に対して要求することができる。このため、リモコン側から空気調和機本体側に情報送信の要求を行うことができる。
【００４８】
また、リモコン側から空気調和機本体側に情報の送信要求をした場合、リモコンが、空気調和機本体から送信される情報の受信を失敗するおそれがある。このため、空気調和機本体から送信される情報のうちのリモコンが受信に失敗した情報は、失われてしまうおそれがある。そこで、リモコンが空気調和機本体から送信される情報の受信に失敗したことを、ユーザに対して報知できるようにすることが考えられる。しかしながら、受信失敗の報知が為された場合でも、リモコン側から情報の送信要求が再び行われない場合には、リモコンが受信に失敗した情報は失われてしまうおそれがある。
【００４９】
そこで、上記実施形態では、空気調和機本体１の備える制御装置６０が、リモコン２０側から送信される情報送信要求信号および操作信号等の制御信号を本体側送受信部６１において受信する毎に、リモコン２０側に対して、本体側送受信部６１から取得情報の情報信号を送信している。このため、例えば、リモコン側から情報送信要求信号または所定の操作信号が送信された時のみ本体側送受信部から取得情報の情報信号が送信される場合と比較して、空気調和機本体１側からリモコン２０側に対する取得情報の送信回数を多くすることができる。
【００５０】
これによって、空気調和機本体１から送信される情報が失われるおそれを減らすことができている。
【００５１】
（２）
上記実施形態では、判断部７４によって、リモコン側送受信部７１から情報送信要求信号が送信されたと判断され、かつ、前記情報送信要求信号に基づいた信号受信可能状態である間にリモコン側送受信部７１に情報信号が受信されていないと判断された場合、表示部２３には、「受信失敗」というメッセージが表示される。このため、ユーザが、運転モードやメンテナンス情報、または、室内温度、室内湿度、屋外温度および消費電力等の情報を取得したいと考えたときに押される「設定確認」ボタン３４または「お知らせ」ボタン３７を押したにもかかわらず、それらの情報を受信することができなかったことをユーザに対して報知することができる。
【００５２】
また、表示部２３には、「受信失敗」というメッセージを表示した時から数秒後に「もう一度」というメッセージが表示される。このため、リモコン側送受信部７１から再び情報送信要求信号が送信されるように、ユーザに対して再操作を促す報知を行うことができる。
【００５３】
さらに、リモコン側送受信部７１から情報送信要求信号以外の制御信号である操作信号が送信される場合にユーザに対して再操作を促す報知を行っても、ユーザによってリモコン側送受信部７１から再度制御信号が送信されないことが多い。このため、リモコン側送受信部７１から情報送信要求信号以外の制御信号である操作信号が送信される場合には、ユーザに対して再操作を促す報知を行う必要性が小さいと考えられる。
【００５４】
そこで、上記実施形態では、判断部７４によって、送信した制御信号が情報送信要求信号ではないと判断され、かつ、リモコン側送受信部７１において情報信号が受信されなかったと判断された場合には、表示制御部７２による表示部２３の表示動作の制御は行われず、報知メッセージの表示が行われない。このため、再操作の報知をより適正なタイミングで行うことができている。
【００５５】
（３）
上記実施形態では、リモコン側制御部７０において、リモコン側送受信部７１が受信した情報信号がリモコン側記憶部７３に記憶される。さらに、リモコン側記憶部７３に記憶される情報信号は、新しい情報信号が送信される毎に更新される。このため、空気調和機本体１側から送信される取得情報を失うおそれを減らすことができている。
【００５６】
（４）
上記実施形態では、判断部７４によって、空気調和機本体１の運転停止の制御信号が送信されたと判断された場合に、リモコン側記憶部７３に記憶されている情報信号の情報内容が表示部２３に表示される。このように、ユーザがリモコン２０の「運転／停止」ボタン３１を押した時に情報内容が表示部２３に表示されることで、表示部２３に表示される情報内容をユーザに認識させやすくすることができている。
【００５７】
（５）
上記実施形態では、本体側送受信部６１から送信される取得情報には、フィルタ清掃やダストボックス清掃等のメンテナンス情報が含まれる。このため、本体側送受信部６１からメンテナンス情報の送信を行うことができる。したがって、ユーザに対してメンテナンスの必要性を報知することができている。
【００５８】
（６）
上記実施形態では、リモコン側送受信部７１において、制御信号を送信した時から所定時間（例えば、５秒）が経過するまで、信号受信可能状態が継続される。このため、例えば、リモコン側送受信部において常に信号受信可能状態が継続される場合と比較して、情報信号の受信に使用される電力を減らすことができる。
【００５９】
（７）
上記実施形態では、本体側送受信部６１から送信される取得情報の種類は、ユーザによって押される操作ボタンに基づいて決定されている。このように、ユーザによって押される操作ボタンに基づいて本体側送受信部６１から送信される情報信号を限定することによって、取得情報に含まれる全ての情報の情報信号が送信される場合と比較して、空気調和機本体１から送信される情報信号の情報量を小さくすることができる。
【００６０】
＜変形例＞
（Ａ）
上記実施形態では、リモコン側送受信部７１から本体側送受信部６１に送信される情報送信要求信号および操作信号等の全ての制御信号に対して、本体側送受信部６１から取得情報のうちの所定の情報信号が送信されている。しかし、リモコンが情報を受信する場合、受信した情報を処理する受信処理等が行われている間は、ユーザからの操作を受け付けることができない等のリモコンの操作性が悪化する場合がある。そこで、リモコンの受信処理に必要とされる時間を短縮することでリモコンの操作性の悪化を抑えるために、本体側送受信部から送信される情報信号の情報量が必要最小限の情報となるようにしてもよい。
【００６１】
例えば、図７に示すように、リモコン側送受信部１７１に対して送信する必要があるか否かを判断する判断部１６４を有し、判断部１６４の判断に基づいて空気調和機本体から送信される情報を変更させることができる制御装置１６０を備える空気調和機について説明する。なお、必要があるか否かの判断とは、例えば、リモコン側送受信部１７１からの制御信号に対して取得情報をリモコン側送受信部１７１に送信するときに、本体側記憶部１６３に記憶されている取得情報が更新されておらず、前回送信した情報信号の情報（例えば、室内温度が２８度）と同一の情報（例えば、室内温度が２８度）である場合には、判断部１６４によって必要がないと判断される。また、リモコン側送受信部１７１からの制御信号に対して取得情報をリモコン側送受信部１７１に送信するときに、本体側記憶部１６３に記憶されている取得情報が更新されており、前回送信した情報信号の情報（例えば、室内温度が２８度）とは異なる情報（例えば、室内温度が２９度）である場合には、判断部１６４によって必要があると判断される。
【００６２】
制御装置１６０は、判断部１６４によって必要であると判断された場合、その情報の情報信号を本体側送受信部１６１からリモコン側送受信部１７１に送信する。また、制御装置１６０は、判断部１６４によって必要でないと判断された場合、必要であると判断された場合に送信される情報信号の情報量よりも小さい情報量の情報信号（例えば、更新なし等の情報信号）を本体側送受信部１６１からリモコン側送受信部１７１に送信する。このため、判断部１６４の判断に基づいて、本体側送受信部１６１から送信される情報信号の情報量を小さくすることができる。
【００６３】
これによって、リモコンの操作性の悪化を短時間に抑えることができる。
【００６４】
なお、図７において、符号１７０はリモコン側制御部を示しており、符号４、符号５、符号６、符号７、符号１０、符号１２および符号１４については上記実施形態と同様の各種機器を示している。
【００６５】
（Ｂ）
上記実施形態では、制御装置６０は、リモコン２０から送信される制御信号を本体側送受信部６１において受信する毎に、リモコン２０に対して取得情報の情報信号を本体側送受信部６１から送信している。
【００６６】
これに代えて、取得情報の情報信号は、操作ボタンのうちの所定の操作ボタンが操作された場合に本体側送受信部から送信されてもよく、所定の操作ボタンが操作された操作回数に基づいて本体側送受信部から送信されてもよい。また、取得情報の情報信号は、本体側送受信部において取得情報の情報信号を送信したときから所定時間の経過後に本体側送受信部において最初に受信した制御信号に対して送信されてもよい。
【００６７】
また、取得情報に含まれるメンテナンス情報については、制御装置においてメンテナンスが必要であると判断された場合に、その判断が為された時から最初に受信した制御信号に対してリモコン側にメンテナンス情報が送信され、取得情報のうちのメンテナンス情報以外の情報については、制御信号を受信する毎に、リモコン側に対して送信されてもよい。
【００６８】
（Ｃ）
上記実施形態では、制御信号を送信した時から所定時間（例えば、５秒）が経過するまで、リモコン側送受信部７１の信号受信可能状態が継続されている。
【００６９】
これに代えて、リモコン側送受信部が常に信号受信可能状態であれば、本体側送受信部から送信される取得情報の情報信号を、リモコン側送受信部において受信できる可能性を増やすことができる。
【００７０】
これによって、空気調和機本体から送信される情報を失うおそれを減らすことができる。
【産業上の利用可能性】
【００７１】
本発明は、空気調和機本体から送信される情報が失われるおそれを減らすことができるため、空気調和機への適用が有効である。
【図面の簡単な説明】
【００７２】
【図１】本発明の実施形態に係る空気調和機の概略構成図。
【図２】室内機の断面図。
【図３】本発明の実施形態に係る空気調和機の制御ブロック図。
【図４】リモコンのパネルを閉状態にした図。
【図５】リモコンのパネルを開状態にした図。
【図６】リモコン側制御部のフローチャート。
【図７】本発明の変形例（Ａ）に係る空気調和機の制御ブロック図。
【符号の説明】
【００７３】
１      空気調和機本体
２０      リモコン
２３      表示部
３１      「運転／停止」ボタン（第２受付部）
３２      「温度」ボタン（第２受付部）
３３      「湿度」ボタン（第２受付部）
３４      「設定確認」ボタン（第１受付部）
３６      「メニュー」ボタン（第２受付部）
３７      「お知らせ」ボタン（第１受付部）
３８      「決定」ボタン（第２受付部）
７２      表示制御部
７３      リモコン側記憶部（記憶部）
１００      空気調和機
１６４      判断部
【図１】
2009264631.tif 000003
【図２】
2009264631.tif 000004
【図３】
2009264631.tif 000005
【図４】
2009264631.tif 000006
【図５】
2009264631.tif 000007
【図６】
2009264631.tif 000008
【図７】
2009264631.tif 000009